Podtech/llm-jp-corpus-v4-ja_patent huggingface dataset:
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
治療的有効量のテオブロミンと、鎮咳活性を有する複数の追加的な治療化合物とを含む経口組成物。
【請求項２】
前記鎮咳活性を有する複数の治療化合物は、非オピエート系鎮咳剤、オピエート系鎮咳剤、うっ血除去剤、去痰剤、粘液溶解剤、抗ヒスタミン剤、非ステロイド性抗炎症薬（NSAID）、神経因性疼痛剤、テルペン、ACE阻害剤、アンジオテンシンII受容体拮抗剤、またはこれらのいずれかの組合せを含む、請求項1に記載の経口組成物。
【請求項３】
前記鎮咳活性は、咳に関連する迷走神経機能を抑制し、咳に関連する中枢神経機能を抑制し、および／または咳に関連する末梢神経機能を抑制する、請求項1または2に記載の経口組成物。
【請求項４】
前記鎮咳活性は望ましくない副作用を伴わない、請求項1〜3のいずれか1項に記載の経口組成物。
【請求項５】
前記望ましくない副作用は、鎮静、認知性の混迷、眩暈、眠気、体位性高血圧、協調困難、脱力、振戦、呼吸抑制、向精神作用、睡眠障害、無用な想望感、CNS刺激、体重増加、食欲変化、性機能の変化、便秘、口渇、腸びらん、胃潰瘍、腎臓炎症、心血管高血圧、心血管刺激、高クリミナ、外出不能、胸部痛、腹圧性尿失禁、またはこれらのいずれかの組合せを含む、請求項4に記載の経口組成物。
【請求項６】
前記鎮咳活性は、咳嗽状態に関連する症状を低減させる、請求項1〜5のいずれか1項に記載の経口組成物。
【請求項７】
前記症状は、咳の頻度、咳の重症度、咳の音量もしくは騒音レベル、嗄声、咽喉痛、呼吸困難、呼吸器うっ血、喘鳴、呼吸器狭窄、呼吸器炎症、咳に関連する筋痙攣、痰産生、失神、不眠、嘔吐、結膜下出血（赤目）、咳嗽排便、咳嗽排尿、腹部ヘルニア、骨盤部ヘルニア、肋軟骨炎、または下部肋骨骨折を含む、請求項6に記載の経口組成物。
【請求項８】
前記鎮咳活性は、急性咳嗽状態、亜急性咳嗽状態、慢性咳嗽状態、乾性咳嗽状態、湿性咳嗽状態、または疾患もしくは障害に関連する咳嗽を抑制する、請求項1〜7のいずれか1項に記載の経口組成物。
【請求項９】
咳嗽状態の治療用の、請求項1〜8のいずれか1項に記載の経口組成物。
【請求項１０】
前記咳嗽状態は、急性咳嗽状態、亜急性咳嗽状態、慢性咳嗽状態、乾性咳嗽状態、湿性咳嗽状態、または疾患もしくは障害に関連する咳嗽を含む、請求項9に記載の経口組成物。
【請求項１１】
前記疾患または障害は、喘息、アトピー咳嗽、気管支炎、胃食道逆流症、呼吸器の感染、炎症、薬剤負荷、汚染、後鼻漏、喫煙事象、迷走神経刺激、外耳道の疾患、肺疾患、肺腫瘍、習慣性咳嗽、チック症状、トウレット症候群、心血管疾患、または感染後咳嗽である、請求項10に記載の経口組成物。
【請求項１２】
前記治療は咳嗽状態に関連する症状を低減させる、請求項9〜11のいずれか1項に記載の経口組成物。
【請求項１３】
前記症状は、咳、嗄声、咽喉痛、呼吸困難、呼吸器うっ血、喘鳴、呼吸器狭窄、呼吸器炎症、咳に関連する筋痙攣、痰産生、失神、不眠、嘔吐、結膜下出血、咳嗽排便、咳嗽排尿、腹部ヘルニア、骨盤部ヘルニア、肋軟骨炎、下部肋骨骨折、またはこれらのいずれかの組合せを含む、請求項12に記載の経口組成物。
【請求項１４】
咳嗽状態の治療用の医薬の製造における、請求項1〜8のいずれか1項に記載の経口組成物の使用。
【請求項１５】
前記咳嗽状態は、急性咳嗽状態、亜急性咳嗽状態、慢性咳嗽状態、乾性咳嗽状態、湿性咳嗽状態、または疾患もしくは障害に関連する咳を含む、請求項14に記載の使用。
【請求項１６】
前記疾患または障害は、喘息、アトピー咳嗽、気管支炎、胃食道逆流症、呼吸器の感染、炎症、薬剤負荷、汚染、後鼻漏、喫煙事象、迷走神経刺激、外耳道の疾患、肺疾患、肺腫瘍、習慣性咳嗽、チック症状、トウレット症候群、心血管疾患、または感染後咳嗽である、請求項15に記載の使用。
【請求項１７】
前記治療は咳嗽状態に関連する症状を低減させる、請求項14〜16のいずれか1項に記載の使用。
【請求項１８】
前記症状は、咳、嗄声、咽喉痛、呼吸困難、呼吸器うっ血、喘鳴、呼吸器狭窄、呼吸器炎症、咳に関連する筋痙攣、痰産生、失神、不眠、嘔吐、結膜下出血、咳嗽排便、咳嗽排尿、腹部ヘルニア、骨盤部ヘルニア、肋軟骨炎、下部肋骨骨折、またはこれらのいずれかの組合せを含む、請求項17に記載の使用。
【手続補正書】
【提出日】平成27年6月16日(2015.6.16)
【手続補正１】
【補正対象書類名】明細書
【補正対象項目名】発明の名称
【補正方法】変更
【補正の内容】
【発明の名称】化合物及び組成物
【手続補正２】
【補正対象書類名】特許請求の範囲
【補正対象項目名】全文
【補正方法】変更
【補正の内容】
【特許請求の範囲】
【請求項１】
式（１）の構造を有する化合物：
2014518212.tif 000001
Ｘは、１）Ｃ（Ｒｉ）（Ｒｊ）、又は２）酸素であり；
Ｔは、１）ＣＨ２、２）ＣＨ２ＣＨ２、又は３）存在せず；
Ｒ１とＲ２は、独立して、１）−ＣＨ３、又は２）−ＣＨ２ＣＨ３であり；
Ｒ３は、１）水素、２）−ＣＨ３、又は３）−ＣＨ２ＣＨ３であり；
Ｒ４は、１）水素、又は２）−ＣＨ３であり；
ＲａとＲｂは、それぞれ独立して、１）水素、２）−ＣＨ３、又は３）−ＣＨ２ＣＨ３であり；
ＲｉとＲｊは、それぞれ独立して、１）水素、２）重陽子、３）ヒドロキシル、４）フルオロ、５）アルコキシ、６）低級アルキル、又は７）低級ハロアルキルであり；
ＲｉとＲｊは、オキソ（＝Ｏ）として統合してもよく、
Ｂは、１）
2014518212.tif 000002
2014518212.tif 000003
2014518212.tif 000004
７）シクロアルキル、又は８）低級ハロアルキルであり；
Ｒｅ、Ｒｆ、Ｒｇ、Ｒｈ、及びＲｋは、それぞれ独立して、１）水素、２）低級アルキル、３）低級ハロアルキル、４）ハロゲン、５）ニトロ、６）ヒドロキシ、７）アルコキシ、８）ニトリル、９）カルボキシアミド、１０）アリールカルボニル、１１）カルバモイル、１２）アミジル、１３）アミノ、１４）アルキルカルボニル、１５）ウレア、又は１６）−Ｃ（ＮＯＨ）ＮＨ２であり；
Ｒｌ、Ｒｍ、及びＲｎは、１）−ＣＲｅ、又は２）窒素であるが、Ｒｌ、Ｒｍ、及びＲｎの少なくとも１つは窒素であり；
Ｚは、１）酸素、又は２）硫黄である；
並びに、これらの薬学的に許容される塩、溶媒和物、及び水和物。
【請求項２】
ＸがＣＲｉＲｊである請求項１に記載の化合物。
【請求項３】
ＲｉとＲｊがオキソ（＝Ｏ）として統合した請求項２に記載の化合物。
【請求項４】
Ｒｉがヒドロキシルで、Ｒｊが水素である請求項２に記載の化合物。
【請求項５】
Ｒ１とＲ２が、それぞれ独立してメチル又はエチルである請求項２に記載の化合物。
【請求項６】
Ｒ１とＲ２が、それぞれメチルである請求項２に記載の化合物。
【請求項７】
Ｒ３が水素又はメチルである請求項２に記載の化合物。
【請求項８】
Ｒ３がメチルである請求項７に記載の化合物。
【請求項９】
Ｒ１とＲ２の双方がメチルである請求項１に記載の化合物。
【請求項１０】
Ｒ３がメチル又は水素である請求項１に記載の化合物。
【請求項１１】
Ｒ３がメチルである請求項１０に記載の化合物。
【請求項１２】
ＴがＣＨ２である請求項１に記載の化合物。
【請求項１３】
ＲａとＲｂが独立して水素又はメチルである請求項１に記載の化合物。
【請求項１４】
ＲａとＲｂがそれぞれ水素である請求項１３に記載の化合物。
【請求項１５】
薬学的に許容される担体中に請求項１に記載の化合物の治療的有効量を含む組成物。
【請求項１６】
前記化合物が（４−（トリフルオロメチル）フェニル）（（１Ｒ，６Ｓ）−２，２，６−トリメチルシクロヘキシル）メタノン（化合物１６）である請求項１に記載の化合物。
【請求項１７】
前記化合物が（４−（トリフルオロメトキシ）フェニル）（（１Ｒ，６Ｓ）−２，２，６−トリメチルシクロヘキシル）メタノン（化合物２９）である請求項１に記載の化合物。
【請求項１８】
前記化合物が（Ｓ）−（４−（トリフルオロメチル）フェニル）（（１Ｒ，６Ｓ）−２，２，６−トリメチルシクロヘキシル）メタノール（化合物１５）である請求項１に記載の化合物。
【請求項１９】
前記化合物が（３−フルオロ−４−（トリフルオロメチル）フェニル）（（１Ｒ，６Ｓ）−２，２，６−トリメチルシクロヘキシル）メタノン（化合物７４）である請求項１に記載の化合物。
【請求項２０】
前記化合物が（４−フルオロフェニル）（（１Ｒ，６Ｓ）−１，２，２，６−テトラメチルシクロヘキシル）メタノン（化合物６２）である請求項１に記載の化合物。
【請求項２１】
前記化合物が２−（トリフルオロメチル）−４−（（１Ｒ，６Ｓ）−２，２，６−トリメチルシクロヘキサンカルボニル）ベンゾニトリル（化合物６１）である請求項１に記載の化合物。
【請求項２２】
前記化合物が２−フルオロ−４−（（１Ｒ，６Ｓ）−２，２，６−トリメチルシクロヘキサンカルボニル）ベンゾニトリル（化合物４５）である請求項１に記載の化合物。
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
ＨＩＶ感染を治療するための組成物において、
第１哺乳動物種のオスの動物によって妊娠した前記第１哺乳動物種のメスの動物にＨＩＶ感染ヒト血液を投与するステップと、
前記第１哺乳動物種とは異なる第２哺乳動物種のオスの動物に前記第１哺乳動物種の前記オスの動物の血液を投与するステップと、
第２の哺乳動物種のメスの動物に前記第２の哺乳動物種の前記オスの動物の血液を投与するステップと、
第１の哺乳動物種の前記メスの動物が子を出産した後に、前記子に前記第２の哺乳動物種の前記メスの動物の血液を投与するステップと、
前記第２の哺乳動物種の前記メスの動物の血液を投与後、前記子から血液を採取するステップと、
前記採取した血液、またはその亜成分を薬学的に許容可能な担体と混合して前記組成物を生成するステップと
を含む方法により調製されることを特徴とする組成物。
【請求項２】
請求項１に記載の組成物において、前記ＨＩＶ感染ヒト血液が、前記第１哺乳動物種のオスの動物によって妊娠した前記第１哺乳動物種の前記メスの動物に、前記妊娠の開始から３〜１４日の間に投与されることを特徴とする組成物。
【請求項３】
請求項２に記載の組成物において、前記ＨＩＶ感染ヒト血液が、前記第１哺乳動物種の前記メスの動物に、静脈注射により投与されることを特徴とする組成物。
【請求項４】
請求項１に記載の組成物において、前記第１哺乳動物種の前記オスの動物の血液が、前記第１哺乳動物種の前記メスの動物の前記妊娠の開始から１０〜５０日の間に、前記第２哺乳動物種の前記オスの動物に投与されることを特徴とする組成物。
【請求項５】
請求項４に記載の組成物において、前記第１哺乳動物種の前記オスの動物の血液が、前記第２哺乳動物種の前記オスの動物に、筋肉注射により投与されることを特徴とする組成物。
【請求項６】
請求項４に記載の組成物において、前記第１哺乳動物種の前記オスの動物は、前記第１哺乳動物種の前記メスの動物を妊娠させた原因であることを特徴とする組成物。
【請求項７】
請求項１に記載の組成物において、前記第２哺乳動物種の前記オスの動物の血液が、前記第２哺乳動物種の前記オスの動物の血液を前記第１哺乳動物種の前記メスの動物に投与した後、３〜１５日の間に、前記第２の哺乳動物種の前記メスの動物に投与されることを特徴とする組成物。
【請求項８】
請求項７に記載の組成物において、第２哺乳動物種の前記オスの動物の血液が、前記第２の哺乳動物種の前記メスの動物に、筋肉注射により投与されることを特徴とする組成物。
【請求項９】
請求項１に記載の組成物において、前記第２の哺乳動物種の前記メスの動物の血液が、前記第１哺乳動物種の前記メスの動物が子を出産した後、７日以内に、前記子に投与されることを特徴とする組成物。
【請求項１０】
請求項９に記載の組成物において、前記第２の哺乳動物種の前記メスの動物の血液が、前記子に、筋肉注射により投与されることを特徴とする組成物。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
化合物Ｉの結晶質（２Ｒ，３Ｓ，５Ｒ）−２−（２，５−ジフルオロフェニル）−５−［２−（メチルスルホニル）−２，６−ジヒドロピロロ［３，４−ｃ］ピラゾール−５（４Ｈ）−イル］テトラヒドロ−２Ｈ−ピラン−３−アミン。
【化１】
2014518266.tif 000001
【請求項２】
１０．３±０．１  ２θ、１２．７±０．１  ２θ、１４．６±０．１  ２θ、１６．１±０．１  ２θ、１７．８±０．１  ２θ、１９．２±０．１  ２θ、２２．２±０．１  ２θ、２４．１±０．１  ２θおよび２６．９±０．１  ２θからなる群より選択される少なくとも４つのピークを、粉末Ｘ線回折パターンに有することを特徴とする、請求項１に記載の結晶質（２Ｒ，３Ｓ，５Ｒ）−２−（２，５−ジフルオロフェニル）−５−［２−（メチルスルホニル）−２，６−ジヒドロピロロ［３，４−ｃ］ピラゾール−５（４Ｈ）−イル］テトラヒドロ−２Ｈ−ピラン−３−アミン（形Ｉ）。
【請求項３】
粉末Ｘ線回折パターンにおける次の４ピーク：１７．８±０．１  ２θ、１９．２±０．１  ２θ、２２．２±０．１  ２θおよび２４．１±０．１  ２θを特徴とする、請求項２に記載の結晶形。
【請求項４】
図３の示差走査熱量測定（ＤＳＣ）曲線をさらに特徴とする、または図２の熱重量分析（ＴＧＡ）曲線をさらに特徴とする、請求項２〜３のいずれか一項に記載の結晶形。
【請求項５】
図４の核磁気共鳴（ＮＭＲ）スペクトルをさらに特徴とする、または図５のＩＲスペクトルをさらに特徴とする、請求項２〜４のいずれか一項に記載の結晶形。
【請求項６】
７．５±０．１  ２θ、１５．０±０．１  ２θ、１６．２±０．１  ２θ、２０．９±０．１  ２θ、２２．０±０．１  ２θ、２７．０±０．１  ２θ、２７．６±０．１  ２θ、３３．３±０．１  ２θからなる群より選択される少なくとも４つのピークを、粉末Ｘ線回折パターンに有することを特徴とする、請求項１に記載の結晶質（２Ｒ，３Ｓ，５Ｒ）−２−（２，５−ジフルオロフェニル）−５−［２−（メチルスルホニル）−２，６−ジヒドロピロロ［３，４−ｃ］ピラゾール−５（４Ｈ）−イル］テトラヒドロ−２Ｈ−ピラン−３−アミン（形ＩＩ）。
【請求項７】
粉末Ｘ線回折パターンにおける次の４ピーク：２０．９±０．１  ２θ、２２．０±０．１  ２θ、２７．０±０．１  ２θおよび２７．６±０．１  ２θを特徴とする、請求項６に記載の結晶形。
【請求項８】
図８の示差走査熱量測定（ＤＳＣ）曲線をさらに特徴とする、または図７の熱重量分析（ＴＧＡ）曲線をさらに特徴とする、請求項６〜７のいずれか一項に記載の結晶形。
【請求項９】
図９の核磁気共鳴（ＮＭＲ）スペクトルをさらに特徴とする、または図１０のＩＲスペクトルをさらに特徴とする、請求項６〜８のいずれか一項に記載の結晶形。
【請求項１０】
１４．５±０．１  ２θ、１５．９±０．１  ２θ、１７．３±０．１  ２θ、１８．７±０．１  ２θ、１９．５±０．１  ２θ、１９．５±０．１  ２θ、２１．２±０．１  ２θ、２２．０±０．１  ２θおよび２３．２±０．１  ２θからなる群より選択される少なくとも４つのピークを粉末Ｘ線回折パターンに有することを特徴とする、請求項１に記載の結晶質（２Ｒ，３Ｓ，５Ｒ）−２−（２，５−ジフルオロフェニル）−５−［２−（メチルスルホニル）−２，６−ジヒドロピロロ［３，４−ｃ］ピラゾール−５（４Ｈ）−イル］テトラヒドロ−２Ｈ−ピラン−３−アミン（形ＩＩＩ）。
【請求項１１】
粉末Ｘ線回折パターンにおける次の４ピーク：１９．５±０．１  ２θ、２１．２±０．１  ２θ、２２．０±０．１  ２θおよび２３．２±０．１  ２θを特徴とする、請求項１０に記載の結晶形。
【請求項１２】
図１３の示差走査熱量測定（ＤＳＣ）曲線をさらに特徴とする、または図１２の熱重量分析（ＴＧＡ）曲線をさらに特徴とする、請求項１０〜１１のいずれか一項に記載の結晶形。
【請求項１３】
８．１±０．１  ２θ、１０．６±０．１  ２θ、１６．０±０．１  ２θ、１６．９±０．１  ２θ、１９．５±０．１  ２θ、２１．３±０．１  ２θ、２３．３±０．１  ２θおよび２５．４±０．１  ２θからなる群より選択される少なくとも４つのピークを、粉末Ｘ線回折パターンに有することを特徴とする、請求項１に記載の結晶質（２Ｒ，３Ｓ，５Ｒ）−２−（２，５−ジフルオロフェニル）−５−［２−（メチルスルホニル）−２，６−ジヒドロピロロ［３，４−ｃ］ピラゾール−５（４Ｈ）−イル］テトラヒドロ−２Ｈ−ピラン−３−アミン（形ＩＶ）。
【請求項１４】
粉末Ｘ線回折パターンにおける次の４ピーク：１６．９±０．１  ２θ、１９．５±０．１  ２θ、２１．３±０．１  ２θおよび２３．３±０．１  ２θを特徴とする、請求項１３に記載の結晶形。
【請求項１５】
図１６の示差走査熱量測定（ＤＳＣ）曲線をさらに特徴とする、または図１５の熱重量分析（ＴＧＡ）曲線をさらに特徴とする、請求項１３〜１４のいずれか一項に記載の結晶形。
【請求項１６】
治療有効量の請求項１に記載の結晶形を含む、２型糖尿病を処置するための医薬組成物。
【請求項１７】
哺乳動物における２型糖尿病の処置に使用するための医薬品の製造における、請求項１に記載の結晶形の活性成分としての使用。
【請求項１８】
請求項１〜１５のいずれか一項に記載の結晶質（２Ｒ，３Ｓ，５Ｒ）−２−（２，５−ジフルオロフェニル）−５−［２−（メチルスルホニル）−２，６−ジヒドロピロロ［３，４−ｃ］ピラゾール−５（４Ｈ）−イル］テトラヒドロ−２Ｈ−ピラン−３−アミンを含む原薬と薬理学的に許容され得る担体とを含む医薬組成物。
【請求項１９】
少なくとも５０重量％の前記結晶形が前記原薬中に存在する、請求項１８に記載の医薬組成物。
【請求項２０】
少なくとも５重量％の前記結晶形が前記原薬中に存在する、請求項１８に記載の医薬組成物。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
生体適合性生分解性ポリマの吸収性担体と、少なくとも部分的に前記吸収性担体の全体中または前記吸収性担体上に分散された、約０．１〜１５ｍｇ／ｃｍ２の量のフィブリノゲンを含む微小粒子または約０．０１〜５００ＩＵ／ｃｍ２の量のトロンビンを含む微小粒子と、を含み、前記微小粒子はさらにガラス担体を含む、医薬組成物。
【請求項２】
フィブリノゲンを含む微小粒子およびトロンビンを含む微小粒子の混合物が、少なくとも部分的に前記吸収性担体の全体中または前記吸収性担体上に分散される、請求項１に記載の医薬組成物。
【請求項３】
前記微小粒子の前記ガラス担体はトレハロースを含む、請求項１または２に記載の医薬組成物。
【請求項４】
前記微小粒子は前記吸収性担体上に固定されるか、または前記吸収性担体の全体中に固定される、請求項１〜３のいずれかに記載の医薬組成物。
【請求項５】
前記吸収性担体は可撓性または多孔性、あるいは可撓性かつ多孔性であり、前記組成物は任意選択で、可塑剤、バインダまたは粘性化剤をさらに含む、請求項１〜４のいずれかに記載の医薬組成物。
【請求項６】
前記吸収性担体は、多糖、アルブミン、セルロース、メチルセルロース、アルキルヒドロキシアルキルセルロース、ヒドロキシアルキルセルロース、硫酸セルロース、カルボキシメチルセルロースの塩、カルボキシメチルセルロース、カルボキシエチルセルロース、酸化セルロース；ゼラチンまたはコラーゲン、コラーゲンスポンジなど、キチン、カルボキシメチルキチン、ヒアルロン酸、ヒアルロン酸の塩、アルギナート、アルギン酸、プロピレングリコールアルギナート、グリコーゲン、デキストラン、デキストラン硫酸、カードラン、ペクチン、プルラン、キサンタン、コンドロイチン、コンドロイチン硫酸、カルボキシメチルデキストラン、ヘパリン、ヘパリン硫酸、ヘパラン、ヘパラン硫酸、デルマタン硫酸、ケラタン硫酸、カラゲナン、デンプン、アミロース、アミロペクチン、ポリ−Ｎ−グルコサミン、ポリ−Ｎ−アセチルグルコサミン、ポリマンヌロン酸、ポリグルクロン酸、ポリグルロン酸；キトサン、キチン、キチン−グルカン、キトサン−グルカン、カルボキシメチルキトサン、キトサン塩、それらのキトサン誘導体、および任意のそれらの組み合わせ；ポリウレタン、酸化多糖、および上記のいずれかの誘導体または組み合わせ、
からなる群より選択される生体適合性ポリマを含む、請求項１〜５のいずれかに記載の医薬組成物。
【請求項７】
前記組成物が、乾燥接着剤コーティング、エアロゾル、乾燥エアロゾル、ポンプスプレー、医療用圧定布；フィルム；コートプラスター；医療用スポンジまたは外科用パッチ、止血フリース；止血パッド；ガーゼ；軟膏、半ゲル、ゲル、フォーム、ペースト、懸濁液、軟膏剤、エマルジョン、成形可能な形態、鼻栓、外科用ドレッシング材、創傷パッキング、包帯、スワブ、カテーテル、光ファイバー、シリンジ、ペッサリー、坐薬、あるいは液体または非水性液体中の懸濁液として提供される、請求項１〜６のいずれかに記載の医薬組成物。
【請求項８】
前記吸収性担体はキトサン、またはその誘導体もしくは塩もしくはコポリマ；ゼラチン、コラーゲンまたはポリウレタンを含む、請求項１〜７のいずれかに記載の医薬組成物。
【請求項９】
前記フィブリノゲンまたはトロンビンは、組み換え体であるか、ヒトのものであるか、天然源から精製されたものであるか、またはトランスジェニックであり、任意選択で組換えフィブリノゲンはＨＭＷフィブリノゲンまたはα−伸長フィブリノゲンである、請求項１〜８のいずれかに記載の医薬組成物。
【請求項１０】
組織シーリング、組織接着または止血のための、特に約３０ｇ／分超の出血速度を示す創傷または出血部位に投与されると約１０分未満の止血までの時間が得られる治療のための、
請求項１〜９のいずれかに記載の医薬組成物。
【請求項１１】
組織シーリング、組織接着または止血のための、特に約３０ｇ／分超の出血速度を示す創傷または出血部位に投与されると止血までの時間が約１０分未満である止血のための、製品の調製のための、セルロース、ポリウレタン、ゼラチンまたはコラーゲン、コラーゲンスポンジなど、またはキトサンから選択される生体適合性生分解性ポリマと、アモルファスフィブリノゲンまたはアモルファストロンビンと、から本質的になる吸収性担体の使用。
【請求項１２】
前記アモルファスフィブリノゲンまたはアモルファストロンビンは、前記担体中の微小粒子集団の最大で約１０重量％の結晶化度を示す、請求項１１に記載の使用。
【請求項１３】
創傷が、小さな擦過傷、切断部、擦り傷、引っ掻き傷、火傷、日焼け、潰瘍、内部静脈出血、外部静脈出血、ならびに、実質器官上の胃腸管系に関連する外科的処置から選択される外科的処置；耳、鼻および喉領域（ＥＮＴ）における外科的処置、心血管手術、美容外科手術、脊髄手術、神経手術；リンパ、胆汁、および脳脊髄（ＣＳＦ）瘻孔、胸部および肺手術中の空気漏出、胸部手術、整形外科手術；婦人科外科的手順；血管手術および緊急手術、肝臓切除、軟組織損傷または手術から選択される、創傷の局所治療のための、特に戦場創傷における、または手術中もしくは手術後の、外傷性損傷への局所適用のための、請求項１１または１２に記載の使用。
【請求項１４】
（ｉ）フィブリノゲンを含む微小粒子またはトロンビンを含む微小粒子を、それらが溶解しないビヒクルに懸濁させることであって、微小粒子はさらにガラス担体を含む、懸濁させることと；
（ｉｉ）得られた懸濁液を吸収性担体に適用することと；
（ｉｉｉ）任意選択でビヒクルを除去することと、
を含む、医薬組成物の製造方法。
【請求項１５】
前記組成物は、可塑剤、バインダまたは粘性化剤をさらに含む、請求項１４に記載の方法。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
てんかんの処置における抗痙攣剤用クルクマ属由来のウコン油のビサボレンセスキテルペノイド。
【請求項２】
Ａｒ−ターメロン、α−ターメロン、β−ターメロン及びα−アトラントンを含む一覧より選択される、請求項１に記載のビサボレンセスキテルペノイド。
【請求項３】
請求項１又は２に記載の１又はそれ以上のビサボレンセスキテルペノイドを含むてんかんの処置における抗痙攣剤用液体組成物。
【請求項４】
クルクマ属、ウコン由来のウコン油である、請求項３に記載の液体組成物。
【誤訳訂正書】
【提出日】平成27年9月11日(2015.9.11)
【誤訳訂正１】
【訂正対象書類名】明細書
【訂正対象項目名】０２４６
【訂正方法】変更
【訂正の内容】
【０２４６】
本発明による結晶形Ｈはさらに、約１７１±２ｃｍ−１、約２０３±２ｃｍ−１、約２５８±２ｃｍ−１、約９１８±２ｃｍ−１、約１００２±２ｃｍ−１、約１３０５±２ｃｍ−１および約１５６８±２ｃｍ−１からなる群から選択される１つまたはそれ以上のラマンピークに加えて、約３６９±２ｃｍ−１、約３９１±２ｃｍ−１、約４９０±２ｃｍ−１、約５９９±２ｃｍ−１、約６８５±２ｃｍ−１、約８２８±２ｃｍ−１、約１０３０±２ｃｍ−１、約１３７５±２ｃｍ−１、約１４６４±２ｃｍ−１、約２９８９±２ｃｍ−１からなる群から選択される１つまたはそれ以上のラマンピークをさらに有することを特徴とし得る。
【誤訳訂正２】
【訂正対象書類名】明細書
【訂正対象項目名】０２４７
【訂正方法】変更
【訂正の内容】
【０２４７】
本発明による結晶形Ｈはさらに、約５１７±２ｃｍ−１、約５５７±２ｃｍ−１、約６２０±２ｃｍ−１、約７１３±２ｃｍ−１、約７３４±２ｃｍ−１、約７８７±２ｃｍ−１および約８８９±２ｃｍ−１、約９８２±２ｃｍ−１、約１０４８±２ｃｍ−１、約１０７３±２ｃｍ−１、約１１１７±２ｃｍ−１、約１１９９±２ｃｍ−１、約１２１９±２ｃｍ−１、約１２６３±２ｃｍ−１、約１６２９±２ｃｍ−１、約２７８８±２ｃｍ−１、約２９２１±２ｃｍ−１、約２９４５±２ｃｍ−１および約３０６９±２ｃｍ−１からなる群から選択される１つまたはそれ以上のラマンピークをさらに有することを特徴とし得る。
【誤訳訂正３】
【訂正対象書類名】明細書
【訂正対象項目名】０２６６
【訂正方法】変更
【訂正の内容】
【０２６６】
好ましくは、前記溶剤は、Ｃ４〜Ｃ６アルコール類、例えばｎ−ブタノール、エステル類、例えば、エチルアセテート、ｎ‐プロピルアセテート、イソプロピルアセテート、ｎ−ブチルアセテートおよびイソブチルアセテート、ケトン類、例えばアセトン、２−ブタノン、ペンタン−２−オン、ペンタン−３−オン、ヘキサン−２−オンおよびヘキサン−３−オン、エーテル類、例えばｔｅｒｔ−ブチルメチルエーテル、ジエチルエーテル、テトラヒドロフラン、ジイソプロピルエーテルおよび１，４−ジオキサン、ニトリル類、例えばアセトニトリル、飽和炭化水素、例えばｎ−ペンタン、ｎ−ヘキサンおよびｎ−ヘプタン、芳香族炭化水素、例えばトルエン；塩素化炭化水素、例えばジクロロメタンおよびクロロホルム；およびそれらの混合物から成る群から選択される。
【誤訳訂正４】
【訂正対象書類名】明細書
【訂正対象項目名】０３４０
【訂正方法】変更
【訂正の内容】
【０３４０】
本発明の別の実施形態において
・薬剤は経口投与のために製造され；および／または
・薬剤は固体のおよび／または圧縮されたおよび／またはフィルムコートされた医薬形態であり；および／または、
・薬剤はマトリックスから本明細書に記載される結晶形をゆっくりと放出し；および／または
・薬剤は、薬剤の全重量を基準として、０．００１〜９９．９９９重量％、より好ましくは０．１〜９９．９重量、さらに好ましくは１．０〜９９．０重量％、より一層好ましくは２．５〜８０重量％、最も好ましくは５．０〜５０重量％、特に７．５〜４０重量％の量で結晶形を含み；および／または
・薬剤は薬学的に適合性なキャリアーおよび／または薬学的に適合性な佐剤を含み；および／または
・薬剤は２５〜２，０００ｍｇ、より好ましくは５０〜１，８００ｍｇ、さらに好ましくは６０〜１，６００ｍｇ、より好ましくは７０〜１，４００ｍｇ、最も好ましくは８０〜１，２００ｍｇ、そして特に１００〜１，０００ｍｇの範囲の全質量を有し、および／または
・薬剤は錠剤、カプセル剤、ペレット剤および顆粒剤からなる群から選択される。
【誤訳訂正５】
【訂正対象書類名】明細書
【訂正対象項目名】０５０１
【訂正方法】変更
【訂正の内容】
【０５０１】
【表２４】
2014518226.tif 000001
等価原子を生成させるために使用した対称変換：
表２３：結晶形Ｃに関する水素座標（ｘ  １０４）（すなわち、（ｘ１０∧４））および等方性変位パラメーター（２ｘ  １０３）（すなわち∧２ｘ１０∧３）。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
ポリ硫酸ペントサン（ＰＰＳ）を含む、リソソーム蓄積障害を有する対象の治療において用いるための、薬学的組成物。
【請求項２】
抗ＴＮＦα治療薬を含む、リソソーム蓄積障害を有する対象の治療において用いるための薬学的組成物であって、該治療が炎症性サイトカインを低減させ、かつ、リソソーム蓄積障害を有する対象が酵素補充療法によって治療されている、薬学的組成物。
【請求項３】
酵素補充療法薬および抗ＴＮＦα治療薬を含む、リソソーム蓄積障害を有する対象の治療において用いるための薬学的組成物。
【請求項４】
基質抑制療法薬および抗ＴＮＦα治療薬を含む、リソソーム蓄積障害と関連する骨格病変を有する対象の治療において用いるための薬学的組成物。
【請求項５】
前記酵素補充療法のための薬剤が、アルグルセラーゼ、イミグルセラーゼ、ベラグルセラーゼアルファ、ラロニダーゼ、アガルシダーゼベータ、ガルスルファーゼ、アルグルコシダーゼアルファ、Ｎ−アセチルガラクトサミン−６スルファターゼ、およびイデュルスルファーゼからなる群から選択される、請求項２または３に記載の薬学的組成物。
【請求項６】
前記抗ＴＮＦα療法薬が、インフリキシマブ、アダリムマブ、エタネルセプト、ゴリムマブ、およびナタリズマブからなる群から選択される、請求項２、３、または４に記載の薬学的組成物。
【請求項７】
前記抗ＴＮＦα療法薬がポリ硫酸ペントサン（ＰＰＳ）である、請求項２、３、または４に記載の薬学的組成物。
【請求項８】
骨髄移植、シャペロン療法、および遺伝子療法からなる群から任意で選択される追加の療法を実施される、請求項１〜３のいずれか一項に記載の薬学的組成物。
【請求項９】
酵素補充療法、骨髄移植、シャペロン療法、および遺伝子療法からなる群から任意で選択される追加の療法を実施される、請求項４に記載の薬学的組成物。
【請求項１０】
前記リソソーム蓄積障害が、スフィンゴリピドーシス、ムコ多糖蓄積症（ムコ多糖症）、糖タンパク症（glycoproteinoses）、ムコリピドーシス、糖原病ＩＩ型、セロイドリポフスチン沈着症、およびその他のリソソームタンパク質機能異常からなる群から選択され、前記スフィンゴリピドーシスが任意でニーマンピック病であり、かつ、前記ムコ多糖症が任意でＭＰＳ Ｉ型（ハーラー／シャイエ症候群）、ＭＰＳ ＩＩ型（ハンター症候群）、ＭＰＳ ＶＩ型（マロトー・ラミー症候群）、ＭＰＳ ＩＩＩ型（サンフィリッポ症候群）、ＭＰＳ ＩＶ型（モルキオ症候群）、またはＭＰＳ ＶＩＩ型（スライ病）である、請求項１〜４のいずれか一項に記載の薬学的組成物。
【請求項１１】
経口的に、吸入により、鼻腔内滴下により、局所的に、経皮的に、非経口的に、皮下に、静脈内注射により、動脈内注射により、筋内注射により、胸膜内に（intraplurally）、腹腔内に、または粘膜への塗布により投与されるように用いられる、請求項１〜４のいずれか一項に記載の薬学的組成物。
【請求項１２】
１回より多く投与されるように用いられる、請求項１〜４のいずれか一項に記載の薬学的組成物。
【請求項１３】
前記対象が乳児、年少者または成人である、請求項１〜４のいずれか一項に記載の薬学的組成物。
【請求項１４】
前記対象が、リソソーム蓄積障害と関連する骨格病変を有する、請求項１〜３のいずれか一項に記載の薬学的組成物。
【請求項１５】
前記基質抑制療法薬が、ミグルスタットおよびエリグルスタットからなる群から選択される、請求項４に記載の薬学的組成物。
【手続補正書】
【提出日】平成27年6月15日(2015.6.15)
【手続補正１】
【補正対象書類名】明細書
【補正対象項目名】００３６
【補正方法】変更
【補正の内容】
【００３６】
反応を実施するために用いる温度は、８０°〜２００℃、好ましくは９０°〜１８０°、より好ましくは１２０°〜１７０℃の範囲である。ＤＭＦを添加すると温度を下げることができ、適した温度範囲は約１００℃〜１２０℃となる。反応に用いる時間は、化合物（ＩＶ）から化合物（ＶＩ）へ変換するのに十分な時間であり、たとえば、２時間から２７時間までである。ＤＭＦを添加すると、反応時間をより短くすることができ、適した範囲は２時間から１０時間となる。
【手続補正書】
【提出日】平成27年2月10日(2015.2.10)
【手続補正１】
【補正対象書類名】明細書
【補正対象項目名】００３１
【補正方法】変更
【補正の内容】
【００３１】
本発明の方法によれば、トモキシプロールと２−ヒドロキシプロピル−β−シクロデキストリン（ＨＰＢＣＤ）を１：１から１：１．５の範囲のモル比でエタノールに添加し、混合物を３０から４０℃で加熱して透明な溶液を得、次いでこれを大気圧で温風流下（４０から５０℃）、非晶質の固形物が形成されるまで急速にエバポレートする。種々の調製物である生成物を収集し、真空乾燥させる。試料中のトモキシプロールの含有量は、ＵＶ光（３２８ｎｍで励起）によって測定したとき、１７％から１７．５重量％の範囲である。１：１のモル比を有するトモキシプロール／ＨＹＰＢＣＤ複合体では、トモキシプロールの含有量の計算値は１８．６重量％である。従って、試料は、９０から９３％（重量基準）の範囲の純度を有する前記複合体で構成されているようである。得られた生成物を、未反応シクロデキストリンを除去することができる溶媒でさらに洗浄すると、比がほぼ１：１である実施例１に示すような複合体が得られる。複合体は、トモキシプロール結晶形態１と比較すると顕著に速い溶解速度を示す。
【手続補正２】
【補正対象書類名】明細書
【補正対象項目名】００４５
【補正方法】変更
【補正の内容】
【００４５】
［実施例１］
トモキシプロール−２−ヒドロキシプロピル−β−シクロデキストリン複合体
４ｇのトモキシプロール（１２ｍＭｏｌ）（分子量３１６．４）と２１ｇの２−ヒドロキシプロピル−β−シクロデキストリン（１５ｍＭｏｌ）（Ａｌｄｒｉｃｈ  Ｃｈｅｍｉｃａｌ  Ｃｏｍｐａｎｙ，平均分子量１３８０）を１５０ｍｌのエタノールに溶解させる。この溶液を３０から４０℃で３０分間加熱して透明な溶液を得、次いで大気圧で温風流下、４０から５０℃にて固形残渣が形成されるまで急速にエバポレートする。生成物（６０℃で真空乾燥）は非晶質粉末の外観である。ＸＲＰＤパターン（図３）により、試料は本質的に非晶質形態であり、いくらかの微量のトモキシプロール結晶を有することが確認される。生成物の赤外線スペクトル（図４Ｂ）は、生成物が、本質的に等分子のトモキシプロールと２−ヒドロキシプロピル−β−シクロデキストリンを含む複合体であり、いくらかの未反応シクロデキストリンが混在しているという仮説と整合している。試料中のトモキシプロールの含有量は約１７重量％である。等分子複合体の含有量の計算値は１８．８％である。これは、生成物の９０％（重量基準）が等分子複合体および約１０％が未反応シクロデキストリンで構成されていることを示す。実際、シクロデキストリンを冷エタノールで洗浄することによって除去すると、トモキシプロール／シクロデキストリンがほぼ１：１のモル比に相当するトモキシプロール滴定濃度約１８．５％のほぼ純粋な複合体が得られる。
【手続補正３】
【補正対象書類名】特許請求の範囲
【補正対象項目名】全文
【補正方法】変更
【補正の内容】
【特許請求の範囲】
【請求項１】
トモキシプロールと２−ヒドロキシプロピル−β−シクロデキストリンとの複合体であって、トモキシプロールが非晶質形態で安定化されており、非晶質トモキシプロールと２−ヒドロキシプロピル−β−シクロデキストリンとのモル比が０．９：１から１：１の範囲である複合体。
【請求項２】
トモキシプロールが非晶質形態で安定化されており、トモキシプロールの含有量が１７から１８．５重量％の範囲である、トモキシプロールと２−ヒドロキシプロピル−β−シクロデキストリンとの複合体である、請求項１に記載の複合体。
【請求項３】
以下のＩ．Ｒ．吸収ピーク（ｃｍ−１）３３４３、２９２７、１６０９、１５２６、１４５７、１３７０、１２５０、１１５０、１０８１、１０２０、９４７、８３８、８０１、７５２、７００、５７５、５２１を示す、請求項１および２のいずれか一項に記載の複合体。
【請求項４】
請求項１、２および３のいずれか一項に記載の非晶質トモキシプロールと２−ヒドロキシプロピル−β−シクロデキストリンとの複合体の調製方法であって、トモキシプロールと２−ヒドロキシプロピル−β−シクロデキストリンを１：１から１：１．５のモル比率でエタノールに溶解させること、混合物を３０から４０℃で加熱し、透明な溶液を得ること、反応混合物を大気圧で温風流下、４０から５０℃にて、固形残渣が形成されるまで急速にエバポレートすること、残渣を真空乾燥させること、および場合により、得られた非晶質粉末を冷エタノールで洗浄することを含む、方法。
【請求項５】
医薬としての使用のための請求項１、２および３のいずれか一項に記載の非晶質トモキシプロールと２−ヒドロキシプロピル−β−シクロデキストリンとの複合体。
【請求項６】
医薬が鎮痛剤、抗炎症剤および抗関節炎剤である、請求項５に記載の使用。
【請求項７】
請求項１、２および３のいずれか一項に記載の非晶質トモキシプロールと２−ヒドロキシプロピル−β−シクロデキストリンとの複合体を活性成分として含む医薬組成物。
【請求項８】
経口医薬剤形である、請求項７に記載の医薬組成物。
【請求項９】
錠剤またはカプセル剤である、請求項８に記載の経口医薬剤形。
【請求項１０】
５０から１５０ミリグラムのトモキシプロールに相当する、請求項１、２および３のいずれか一項に記載の非晶質トモキシプロールと２−ヒドロキシプロピル−β−シクロデキストリンとの複合体の含有量を有する、請求項９に記載の錠剤またはカプセル剤。
【請求項１１】
疼痛を処置するための医薬としての使用のための請求項１、２および３のいずれか一項に記載の非晶質トモキシプロールと２−ヒドロキシプロピル−β−シクロデキストリンとの複合体。
【請求項１２】
即時的なトモキシプロールの吸収および治療作用の発現を必要とされている、請求項１１に記載の非晶質トモキシプロールと２−ヒドロキシプロピル−β−シクロデキストリンとの複合体。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
バリア形成組成物であり、
炭水化物ガムと、
湿潤剤と、
抗菌剤と
を含み、
前記組成物は下記の要件を満足し、
約0.01%≦C≦約0.4%、
約4.5%≦H≦約65%、かつ
0.050%＜A、
上記パーセンテージは全て前記組成物全体における重量%を指し、
Cは前記炭水化物ガム、Hは前記保湿剤、Aは前記抗菌剤である
バリア形成組成物。
【請求項２】
請求項１に記載のバリア形成組成物であり、ヒト粘膜に塗布されたときに平均厚さ約0.001mm〜約0.2mmの被膜を形成するバリア形成組成物。
【請求項３】
請求項1に記載のバリア形成組成物であり、哺乳動物の粘膜に塗布したときにin vivo試験で約2時間〜約6時間の持続時間にわたって殺菌活性又は静菌活性を有するバリア形成組成物。
【請求項４】
請求項１に記載のバリア形成組成物であり、
前記組成物が溶液であり、
前記抗菌剤が第四級アンモニウムカチオン種、又はそれらの薬学的に許容される塩であり、
前記炭水化物ガムがキサンタンガム、グアーガム、アラビアガム、トラガントガム、カラヤガム、ローカストビーンガム、イナゴマメガム、及びペクチンからなる群から選択され、
前記湿潤剤がグリセリン、ソルビトール、キシリトール、プロピレングリコール、ポリエチレングリコール、及びそれらの混合物からなる群から選択される、
バリア形成組成物。
【請求項５】
請求項１に記載のバリア形成組成物であり、前記組成物が下記の要件を満足するバリア形成組成物。
約0.06%≦A≦約0.1%
【請求項６】
請求項１に記載のバリア形成組成物であり、水中でのRf値が0〜約0.25であるバリア形成組成物。
【請求項７】
請求項１に記載のバリア形成組成物であり、歯のホワイトニング剤及び減感剤、セロオリゴ糖類、アゼラスチン、シリコンベース油、及び硝酸カリウムを含まないバリア形成組成物。
【請求項８】
有害なウイルス、真菌又は細菌性微生物による汚染が知られている又は予想される汚染環境又は汚染アイテムを識別することにより、哺乳動物が汚染環境又は汚染アイテムに接触する前又は接触中に該哺乳動物に感染症を引き起こす微生物を遮断、中和又は死滅させるためのバリア形成組成物の製造における、炭水化物ガム、保湿剤及び抗菌剤の使用であって、
前記バリア形成組成物は、前記哺乳動物が汚染環境又は汚染アイテムに接触する前又は接触中に前記哺乳動物の粘膜に投与するためのものであり、かつ前記微生物が前記粘膜に接触するのを阻止するバリアを前記粘膜上に設けるためのものであり、
前記バリア形成組成物が下記の要件を満足し、
約0.01%≦C≦約0.4%、
約7%≦H≦約65%、かつ
0.050%＜A
上記パーセンテージは全て組成物全体における重量%を指し、
Cは前記炭水化物ガム、Hは前記保湿剤、Aは前記抗菌剤である
使用。
【請求項９】
請求項８に記載の使用であり、更に前記バリアは、前記微生物が前記バリア下方の前記粘膜に接触することを約6時間以上の持続時間にわたって防止するか、又はin vivo試験で約2時間〜約6時間の持続時間にわたって殺菌活性又は静菌活性を有する使用。
【請求項１０】
請求項８に記載の使用であり、前記微生物が candida、pneumonia、MRSA、streptococc
us、acinetobacter bumanii、streptococcus sanguis、S. oralis、S. mitis、S. saliva
rius、S. gordonii、aggregatibacter actinomycetemcomitans、fusobacterium nucleatu
m、C. krusei、C. tropicalis、C. glabrata、上気道感染を引き起こす微生物、HIVウイルス、単純ヘルペスウイルス、HPVウイルス、EBVウイルス、風邪ウイルス、及びインフルエンザウイルスである使用。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
ＤＣ／ＤＣコンバータのためのコントローラであって、
変圧器の二次側から一次電圧を検出し、前記一次電圧に対応する第１のエラー信号を生成するように構成される第１のエラーアナログデジタルコンバータ（ＥＡＤＣ）であって、第１の参照電圧と前記検出された一次電圧との間の比較に基づいて前記第１のエラー信号が生成される、前記第１のＥＡＤＣと、
前記第１のエラー信号を処理し、前記第１の参照電圧からの一次電圧変動に基づいて第１の補償信号を生成するようにフィードフォワード制御として構成される第１のアクセラレータと、
前記ＤＣ／ＤＣコンバータの出力電圧を検出し、前記出力電圧に対応する第２のエラー信号を生成するように構成される第２のエラーアナログデジタルコンバータ（ＥＡＤＣ）であって、第２の参照電圧と前記検出された出力電圧との間の比較に基づいて前記第２のエラー信号が生成される、前記ＥＡＤＣと、
前記第２のエラー信号を処理し、前記一次電圧を制御するために前記変圧器の前記一次側にフィードフォワードされる第２の補償信号を生成するように構成される第２のアクセラレータであって、前記変圧器の前記一次側に対するスイッチング要素を制御するパルス幅変調器（ＰＷＭ）を調節するように、前記第１の補償信号と前記第２の補償信号とが組み合わされる、前記第２のアクセラレータと、
を含む、コントローラ。
【請求項２】
請求項１に記載のコントローラであって、
前記第１のアクセラレータが、前記第１の補償信号を生成する比例及び積分（ＰＩ）制御を含む、コントローラ。
【請求項３】
請求項２に記載のコントローラであって、
前記ＰＩ制御が、前記第１の補償信号を改変するダイナミック利得調節を含む比例制御を更に含む、コントローラ。
【請求項４】
請求項３に記載のコントローラであって、
前記ダイナミック利得調節が、前記第１の補償信号を増大させる又は低減させる正又は負のステップ制御を含む、コントローラ。
【請求項５】
請求項１に記載のコントローラであって、
前記第１のＥＡＤＣが、前記一次電圧を監視し、前記第１のエラー信号を生成する第１の差動増幅器を更に含む、コントローラ。
【請求項６】
請求項５に記載のコントローラであって、
前記第１の差動増幅器に対し前記第１の参照電圧を供給する第１のデジタルアナログコンバータ（ＤＡＣ）を更に含む、コントローラ。
【請求項７】
請求項１に記載のコントローラであって、
前記第２のアクセラレータが、前記第２の補償信号を生成する、比例、積分及び微分（ＰＩＤ）制御を含む、コントローラ。
【請求項８】
請求項１に記載のコントローラであって、
前記ＤＣ／ＤＣコンバータの前記出力電圧を監視し、前記第２のエラー信号を生成する第２の差動増幅器を更に含む、コントローラ。
【請求項９】
請求項８に記載のコントローラであって、
前記第１のＥＡＤＣが、前記ＤＣ／ＤＣコンバータの１つの完全なスイッチングサイクルに対し電力段をイネーブルにする、コントローラ。
【請求項１０】
方法であって、
第１のエラー信号を生成するために第１のエラーアナログデジタルコンバータ（ＥＡＤＣ）を介してＤＣ／ＤＣコンバータの一次電圧を監視することであって、前記第１のエラー信号が第１の参照信号と前記監視される一次電圧との比較に基づく、前記監視することと、
前記第１のエラー信号に基づいて第１の補償信号を生成することと、
第２のエラー信号を生成するために第２のＥＡＤＣを介して前記ＤＣ／ＤＣコンバータの出力電圧を監視することであって、前記第２のエラー信号が第２の参照電圧と前記監視される出力電圧との比較に基づく、前記監視することと、
前記第２のエラー信号に基づいて第２の補償信号を生成することであって、前記ＤＣ／ＤＣコンバータの前記一次電圧を調節するために前記第２の補償信号が前記第１の補償信号と組み合わされる、前記生成することと、
１つのスイッチングサイクルにおいて前記ＤＣ／ＤＣコンバータの定常状態オペレーションを促進するために前記第１の補償信号と前記第２の補償信号とを制御ループに組み合わせることと、
を含む、方法。
【請求項１１】
請求項１０に記載の方法であって、
前記第１の補償信号に関連付けられる比例制御をダイナミックに調節することを更に含む、方法。
【請求項１２】
請求項１１に記載の方法であって、
前記比例制御を調節する正又は負の利得ステップを提供することを更に含む、方法。
【請求項１３】
請求項１０に記載の方法であって、
前記第２の補償信号を調節する、比例、積分及び微分（ＰＩＤ）制御を提供することを更に含む、方法。
【請求項１４】
ＤＣ／ＤＣコンバータのためのコントローラであって、
変圧器の二次側から一次電圧を検出し、前記一次電圧に対応する第１のエラー信号を生成するように構成される第１のエラーアナログデジタルコンバータ（ＥＡＤＣ）であって、第１の参照電圧と前記検出された一次電圧との間の比較に基づいて前記第１のエラー信号が生成される、前記第１のＥＡＤＣと、
前記第１のエラー信号を処理し、前記一次電圧変動である第１の補償信号を生成するように構成される第１のアクセラレータと、
前記ＤＣ／ＤＣコンバータの出力電圧を検出し、前記出力電圧に対応する第２のエラー信号を生成するように構成される第２のエラーアナログデジタルコンバータ（ＥＡＤＣ）であって、第２の参照電圧と前記ＤＣ／ＤＣコンバータの前記出力電圧との間の比較に基づいて前記第２のエラー信号が生成される、前記第２のＥＡＤＣと、
前記第２のエラー信号を処理し、電圧ループフィードバック制御のための第２の補償信号を生成するように構成される第２のアクセラレータと、
前記変圧器の一次側及び前記二次側内のスイッチング要素を制御するための変調器と、
１つのスイッチングサイクルにおいて前記ＤＣ／ＤＣコンバータの定常状態オペレーションを促進するために、前記第１の補償信号と前記第２の補償信号とを前記変調器にフィードフォワードするためのコンバイナと、
を含む、コントローラ。
【請求項１５】
請求項１４に記載のコントローラであって、
前記第１のアクセラレータが、前記第１の補償信号を生成する比例及び積分（ＰＩ）制御を含む、コントローラ。
【請求項１６】
請求項１５に記載のコントローラであって、
前記ＰＩ制御が、前記第１の補償信号を改変するダイナミック利得調節を含む比例制御を更に含む、コントローラ。
【請求項１７】
請求項１４に記載のコントローラであって、
前記第２のアクセラレータが、前記第２の補償信号を生成する、比例、積分及び微分（ＰＩＤ）制御を含む、コントローラ。